(57)【要約】【課題】経路情報の誤設定を防止できると共に、装置や通信線路の故障の場合にも自動的にルーティング経路を変更し、情報伝送を正確に行える通信制御システムを提供する。【解決手段】伝送したい情報あるいは伝送されてきた情報を所定形式の信号に変換する端末を含み、交換機能を有した複数の交換機１（１ａ〜１ｃ）と、複数の交換機の各端末間に配設され、情報の伝送を行うための通信線路３（３ａ〜３ｃ）とで構成された通信制御システムにおいて、複数の交換機は、通信線路を通して他の交換機に経路情報の配信を行う経路情報配信回路６（６ａ〜６ｃ）と、通信線路を通して他の交換機から配信されてきた経路情報の認識を行う経路情報認識回路７（７ａ〜７ｃ）とをそれぞれ備える。【選択図】　　　　図１
2004064185.tif 000002
【特許請求の範囲】
【請求項１】
伝送したい情報あるいは伝送されてきた情報を所定形式の信号に変換する端末を含み、交換機能を有した複数の交換機と、
上記複数の交換機の各端末間に配設され、情報の伝送を行うための通信線路とで構成された通信制御システムにおいて、
上記複数の交換機のそれぞれは、上記通信線路を通して他の交換機に経路情報の配信を行う経路情報配信回路と、上記通信線路を通して他の交換機から配信されてきた経路情報の認識を行う経路情報認識回路を備え、上記複数の交換機間のルーティング経路の設定あるいは経路変更を自動的に行うことを特徴とする通信制御システム。
【請求項２】
伝送したい情報あるいは伝送されてきた情報を所定形式の信号に変換する端末を含み、交換機能を有した複数の交換機と、
上記複数の交換機の各端末間に配設され、情報の伝送を行うための通信線路とで構成された通信制御システムにおいて、
上記複数の交換機のそれぞれは、上記通信線路を通して他の交換機にトポロジ情報の配信を行うトポロジ情報配信回路と、上記通信線路を通して他の交換機から配信されてきたトポロジ情報の認識を行うトポロジ情報認識回路と、上記トポロジ情報認識回路の認識結果に基づいて経路情報の認識を行う経路情報認識回路を備え、上記複数の交換機間のルーティング経路の設定あるいは経路変更を自動的に行うことを特徴とする通信制御システム。
【請求項３】
上記複数の交換機は、上記通信線路における瞬断時間が所定時間以下であれば、瞬断ではないと判定する瞬断保護回路をさらに備えたことを特徴とする請求項１または２に記載の通信制御システム。
【請求項４】
上記複数の交換機の各経路情報配信回路から配信される経路情報を収集し、通信網全体で管理する通信管理装置をさらに備えたことを特徴とする請求項１または２に記載の通信制御システム。
【請求項５】
上記複数の交換機の各経路情報配信回路から配信される経路情報を収集し、通信網全体で管理する通信管理装置をさらに備えたことを特徴とする請求項３に記載の通信制御システム。
【請求項６】
伝送したい情報あるいは伝送されてきた情報を所定形式の信号に変換する端末を含み、交換機能を有した複数の交換機と、
上記複数の交換機の各端末間に配設され、情報の伝送を行うための通信線路とで構成された通信制御システムにおける通信制御方法であって、
上記複数の交換機のそれぞれは、上記通信線路を通して他の交換機に経路情報を配信し、上記通信線路を通して他の交換機から配信されてきた経路情報を認識することにより、上記複数の交換機間のルーティング経路の設定あるいは経路変更を自動的に行うことを特徴とする通信制御方法。
【請求項７】
伝送したい情報あるいは伝送されてきた情報を所定形式の信号に変換する端末を含み、交換機能を有した複数の交換機と、
上記複数の交換機の各端末間に配設され、情報の伝送を行うための通信線路とで構成された通信制御システムにおける通信制御方法であって、
上記複数の交換機のそれぞれは、上記通信線路を通して他の交換機にトポロジ情報を配信し、上記通信線路を通して他の交換機から配信されてきたトポロジ情報を認識し、上記トポロジ情報の認識結果に基づいて経路情報を認識することにより、上記複数の交換機間のルーティング経路の設定あるいは経路変更を自動的に行うことを特徴とする通信制御方法。
【請求項８】
上記複数の交換機は、上記通信線路における瞬断時間が所定時間以下であれば、瞬断ではないと判定することを特徴とする請求項６または７に記載の通信制御方法。
【請求項９】
上記複数の交換機から配信される経路情報を収集し、通信網全体で管理することを特徴とする請求項６または７に記載の通信制御方法。
【請求項１０】
上記複数の交換機から配信される経路情報を収集し、通信網全体で管理することを特徴とする請求項８に記載の通信制御方法。
【発明の詳細な説明】
【０００１】
【発明の属する技術分野】
この発明は、交換機間のルーティング経路の設定あるいは経路変更を自動的に行うことにより、操作者の誤操作による誤設定要因をなくし、また、装置故障や線路の断線等の線路異常時には自動的にルーティング経路の設定や経路変更し、確実な情報伝送を行うことができる通信制御システムおよび通信制御方法に関するものである。
【０００２】
【従来の技術】
図９は、従来の通信制御システムを示すシステム構成図である。
図において、１（１ａ〜１ｃ）は交換機、２（２ａ〜２ｃ）は各交換機１（１ａ〜１ｃ）に対してそれぞれルーティグ経路の設定を行うＰＣ（パーソナルコンピュータ）、３（３ａ〜３ｃ）は各交換機間の通信線路である。
なお、各交換機１（１ａ〜１ｃ）には、ＰＣ等のデータ端末と電話機等の音声端末が含まれているものとする。
図９に示した従来の技術では、各ＰＣ２（２ａ〜２ｃ）から対応する交換機１（１ａ〜１ｃ）に対してルーティング経路を設定し、各交換機１（１ａ〜１ｃ）はその設定された経路情報に従って通信線路３に情報を伝送していた。
ここで、ルーティング経路とは、情報が各交換機間を流れてゆく経路のことを意味し、情報とは、ＰＣ等のデータ端末からの情報と電話機等の音声端末からの音声情報の両方を意味する。
【０００３】
次に、図９に示した従来システムの動作について説明する。
まず、ＰＣ２（２ａ〜２ｃ）により、人間（操作者）が交換機１（１ａ〜１ｃ）に対してルーティング経路の設定を行う。
ルーティング経路を設定された各交換機１（１ａ〜１ｃ）は、その設定されたルーティング経路情報に従って通信線路３に情報を伝送する。
各交換機１（１ａ〜１ｃ）では、情報伝送の宛先を判断し、その宛先が自接続端末（ＰＣや電話機）であればその端末へ、その他の宛先であれば、設定されたルーティング経路に従って情報を伝送する。
【０００４】
また、図１０は、例えば特開平１０−１５４９７９号公報に示されている従来の通信制御システムの他の例を示すシステム構成図である。
図において、１（１ａ〜１ｃ）は交換機、３（３ａ〜３ｆ）は通信線路、５は通信網全体のトポロジに関する制御情報を蓄積する記憶装置、４は記憶装置５によって蓄積された情報を各交換機１（１ａ〜１ｃ）に配信する遠隔制御装置である。
図１０においても、各交換機１（１ａ〜１ｃ）にはＰＣ等のデータ端末と電話機等の音声端末が含まれているものとする。
図１０に示した従来のシステムでは、交換機１（１ａ〜１ｃ）からの要求により遠隔制御装置４は、記憶装置５に蓄積された制御情報を配信し、各交換機１（１ａ〜１ｃ）はその配信されたトポロジに関する制御情報に従って通信線路３（３ａ〜３ｆ）に情報を伝送していた。
なお、トポロジに関する制御情報とは、通信網全体の構成であるとか、各交換機がデータ（情報）をどこ宛に伝送するかといった情報のことである。
【０００５】
次に、図１０に示した従来システムの動作について説明する。
それぞれの交換機１（１ａ〜１ｃ）は制御情報を得るために、遠隔制御装置４にアクセスする。
遠隔制御装置４では、交換機１（１ａ〜１ｃ）と通信線路３（３ａ〜３ｆ）の構成から、記憶装置５に蓄積されたデータを検索し、あらかじめ決められた最も効率的な伝送経路を決定し、記憶装置５から情報を得て、各交換機１へ制御情報を伝送する。
そして、各交換機１（１ａ〜１ｃ）は、伝送された制御情報に従って情報を伝送する。
【０００６】
【発明が解決しようとする課題】
従来の通信制御システムは以上のように構成されているので、経路情報を設定する際に誤って設定した場合には、その誤った設定のまま、各通信線路３に情報が伝送されてしまっていた。
また、交換機の装置故障や通信線路故障の場合においても、故障前の接続状態のまま情報が伝送されていた。
そのため、伝送したと思われる情報が伝送されていないことがあった。
さらに、図１０のシステムのように遠隔制御装置から情報を配信している場合には、遠隔制御装置が故障すると、交換機に制御情報が伝送されず、情報伝送できないことがあるなどの問題点があった。
【０００７】
この発明は、上記のような問題点を解消するためになされたもので、交換機に対する誤設定の可能性を防止できること、および装置（交換機あるいは遠隔制御装置）故障や通信線路故障の場合にも即座にルーティング経路を変更し、情報伝送を確実に行うことができる通信制御システムあるいは通信制御方法を提供することを目的とする。
【０００８】
【課題を解決するための手段】
この発明に係る通信制御システムは、伝送したい情報あるいは伝送されてきた情報を所定形式の信号に変換する端末を含み、交換機能を有した複数の交換機と、上記複数の交換機の各端末間に配設され、情報の伝送を行うための通信線路とで構成された通信制御システムにおいて、
上記複数の交換機のそれぞれは、上記通信線路を通して他の交換機に経路情報の配信を行う経路情報配信回路と、上記通信線路を通して他の交換機から配信されてきた経路情報の認識を行う経路情報認識回路を備え、上記複数の交換機間のルーティング経路の設定あるいは経路変更を自動的に行うものである。
【０００９】
また、この発明に係る通信制御システムは、伝送したい情報あるいは伝送されてきた情報を所定形式の信号に変換する端末を含み、交換機能を有した複数の交換機と、上記複数の交換機の各端末間に配設され、情報の伝送を行うための通信線路とで構成された通信制御システムにおいて、
上記複数の交換機のそれぞれは、上記通信線路を通して他の交換機にトポロジ情報の配信を行うトポロジ情報配信回路と、上記通信線路を通して他の交換機から配信されてきたトポロジ情報の認識を行うトポロジ情報認識回路と、上記トポロジ情報認識回路の認識結果に基づいて経路情報の認識を行う経路情報認識回路を備え、上記複数の交換機間のルーティング経路の設定あるいは経路変更を自動的に行うものである。
【００１０】
また、この発明に係る通信制御システムの上記複数の交換機は、上記通信線路における瞬断時間が所定時間以下であれば、瞬断ではないと判定する瞬断保護回路をさらに備えたものである。
【００１１】
また、この発明に係る通信制御システムは、上記複数の交換機の各経路情報配信回路から配信される経路情報を収集し、通信網全体で管理する通信管理装置をさらに備えたものである。
【００１２】
また、この発明に係る通信制御システムでは、上記複数の交換機は上記通信線路における瞬断時間が所定時間以下であれば、瞬断ではないと判定する瞬断保護回路を備えると共に、さらに、上記複数の交換機の各経路情報配信回路から配信される経路情報を収集し、通信網全体で管理する通信管理装置を備えたものである。
【００１３】
また、この発明に係る通信制御方法は、伝送したい情報あるいは伝送されてきた情報を所定形式の信号に変換する端末を含み、交換機能を有した複数の交換機と、上記複数の交換機の各端末間に配設され、情報の伝送を行うための通信線路とで構成された通信制御システムにおける通信制御方法であって、
上記複数の交換機のそれぞれは、上記通信線路を通して他の交換機に経路情報を配信し、上記通信線路を通して他の交換機から配信されてきた経路情報を認識することにより、上記複数の交換機間のルーティング経路の設定あるいは経路変更を自動的に行うものである。
【００１４】
また、この発明に係る通信制御方法は、伝送したい情報あるいは伝送されてきた情報を所定形式の信号に変換する端末を含み、交換機能を有した複数の交換機と、上記複数の交換機の各端末間に配設され、情報の伝送を行うための通信線路とで構成された通信制御システムにおける通信制御方法であって、
上記複数の交換機のそれぞれは、上記通信線路を通して他の交換機にトポロジ情報を配信し、上記通信線路を通して他の交換機から配信されてきたトポロジ情報を認識し、上記トポロジ情報の認識結果に基づいて経路情報を認識することにより、上記複数の交換機間のルーティング経路の設定あるいは経路変更を自動的に行うものである。
【００１５】
また、この発明に係る通信制御方法では、上記複数の交換機は上記通信線路における瞬断時間が所定時間以下であれば、瞬断ではないと判定するものである。
【００１６】
また、この発明に係る通信制御方法は、上記複数の交換機から配信される経路情報を収集し、通信網全体で管理するものである。
【００１７】
また、この発明に係る通信制御方法では、上記複数の交換機は上記通信線路における瞬断時間が所定時間以下であれば、瞬断ではないと判定すると共に、さらに、上記複数の交換機から配信される経路情報を収集し、通信網全体で管理するものである。
【００１８】
【発明の実施の形態】
以下、図面に基づいて本発明の一実施の形態を説明する。
なお、各図間において、同一符号は同一あるいは相当のものを表す。
実施の形態１．
図１は、本発明の実施の形態１による通信制御システムの構成を示すシステム構成図である。
図において、１（１ａ〜１ｃ）は交換機、３（３ａ〜３ｃ）は通信線路、６（６ａ〜６ｃ）は経路情報配信回路、７（７ａ〜７ｃ）は経路情報認識回路である。
【００１９】
なお、各交換機１（１ａ〜１ｃ）には、図示しないＰＣ等のデータ端末と電話機等の音声端末が含まれているものとする。
これらの端末設備は、伝送したい情報（データや音声など）を電気信号（電圧、電流あるいは光の強弱などで表す）に変換する（あるいは、その逆の変換をする）ためのものである。
また、交換機とは、各端末間に介在して、端末からの接続要求に応じて希望の相手端末との接続を行う「交換機能」を有した装置のことである。
【００２０】
本実施の形態による通信制御システムに用いられる各交換機には、それぞれさらに経路情報配信回路および経路情報認識回路が設けられている。
即ち、図に示すように、交換機１ａには経路情報配信回路６ａおよび経路情報認識回路７ａが、交換機１ｂａには経路情報配信回路６ｂおよび経路情報認識回路７ｂが、交換機１ｃには経路情報配信回路６ｃおよび経路情報認識回路７ｃが設けられている。
【００２１】
ここで、経路情報配信回路６（６ａ〜６ｃ）は経路情報を送信（即ち、配信）する回路（送信回路）であり、経路情報認識回路７（７ａ〜７ｃ）は送信されてきた経路情報を受信して認識する回路（受信回路）である。
なお、経路情報とは、例えば、自交換機に接続されている通信線路は何本で、それぞれの通信線路の先にはどの交換機が接続されていて、次の通信線路の先にはどの交換機が接続されている、などと言った情報のことである。
また、伝送されるデータ（即ち、ＰＣ等のデータ端末からの情報あるいは電話機等の音声端末からの音声情報）と経路情報は多重化されて同じ通信線路を通っているが、伝送されるデータは交換機内の端末（図示せず）に送信され、経路情報は交換機内の経路情報認識回路へ伝送され、伝送経路の決定に使用される。
【００２２】
次に動作について説明する。
通信線路３（３ａ〜３ｃ）によって接続されている交換機１（１ａ〜１ｃ）は、経路情報配信回路６（６ａ〜６ｃ）によって各通信線路３に経路情報を所定の一定周期ごとに伝送する。
なお、一定周期ごとに経路情報を伝送するのは、一定周期ごとに情報を更新することによって、装置の故障や通信線路の異常を認識するためである。
各交換機１（１ａ〜１ｃ）では、受信した経路情報を交換機内の経路情報認識回路７（７ａ〜７ｃ）に伝達し、各交換機内の経路情報認識回路７（７ａ〜７ｃ）は経路を認識し、この交換機向けのデータはこっちの通信線路に、あの交換機向けのデータはこの通信線路に、と言った形で伝送経路の決定を行う。
具体的な伝送経路の決定は、計算機内に組み込まれた方式に従う。
上述したように、この伝送経路の決定は、一定周期ごとに更新する。
【００２３】
よって、装置故障が発生した場合には、故障した交換機からは経路情報が配信されないため、故障した交換機を除いた系での伝送経路決定がなされる。
また、通信線路異常の場合にも当該通信線路からは、経路情報が配信されないため、異常のある通信線路を除いた状態での伝送経路決定がなされる。
また、ＰＣ等からの設定も不必要である。
以上により、本実施の形態による通信制御システムによれば、経路情報を誤設定することなく、また、装置故障や通信線路故障の場合にも即座にルーティング経路を変更し、情報伝送を正確に行うことができる効果がある。
【００２４】
実施の形態２．
図２は、本発明の実施の形態２による通信制御システムの構成を示すシステム構成図である。
図において、８はトポロジ情報認識回路、９（９ａ〜９ｃ）はトポロジ情報配信回路である。
前述の実施の形態１では経路情報配信回路を備え、通信線路に経路情報を配信する方法を示したが、図２に示すように経路情報配信回路６をトポロジ情報配信回路９に置き換え、受信時には各経路情報認識回路７（７ａ〜７ｃ）の前にトポロジ認識回路８（８ａ〜８ｃ）を挿入した構成とし、通信線路３（３ａ〜３ｃ）上に制御情報とトポロジ情報を配信することでも伝送経路の決定が可能となる。
以上のことにより、より正確な通信経路の認識、および情報伝送が可能となる効果がある。
【００２５】
なお、制御情報とは各交換機が接続されている通信網の情報のことであり、トポロジ情報とは通信網全体の構成のことである。
この制御情報を流すことにより、各交換機は通信網を把握できる。
各交換機は、周期的に自分が把握（認識）しているトポロジ情報（即ち、通信網の情報）をトポロジ情報配信回路によって他の交換機に配信することにより、各交換機で認識しているトポロジを通信網全体に浸透する。
トポロジ情報認識回路８（８ａ〜８ｃ）では、トポロジ情報を認識し、認識されたトポロジ情報に基づいて経路認識回路７（７ａ〜７ｃ）が経路情報を認識し、その結果得られる経路情報を経路認識回路７（７ａ〜７ｃ）がトポロジ情報配信回路９（９ａ〜９ｃ）に通知することにより、各交換機はルーティング経路を決定する。
【００２６】
また、交換機故障の場合や通信網異常の場合にも、故障していない装置は通常の動作を行い、トポロジ情報を配信する。
しかしながら、故障した交換機からはトポロジ情報が来ないため、その交換機は既にいなくなったものとして計算し直して、次にトポロジ情報を配信するときには、故障した計算機がいなくなった状態のトポロジ情報を配信する。
以上のことによって、さらに正確な通信経路の認識および交換機間の情報伝送が可能となる。
【００２７】
なお、実施の形態１による通信制御システムでは、各交換機がそれぞれで経路の認識をしなければならない。そのため、各交換機が認識するパターンは数多くなる。
しかしながら、実施の形態２による通信制御システムでは、各交換機はトポロジ情報を流すので、交換機が認識するトポロジパターンは限定される。
そのため、実施の形態１による通信制御システムよりも実施の形態２による通信制御システムの方が、確率的に正確な通信経路の認識および情報伝送が可能となると考えられる。
【００２８】
実施の形態３．
図３は、本発明の実施の形態３による通信制御システムの構成を示すシステム構成図である。
図において、１０（１０ａ〜１０ｃ）は瞬断保護回路である。
本実施の形態による通信制御システムは、実施の形態１による通信制御システムにおいて、各交換機１（１ａ〜１ｃ）に瞬断保護回路１０（１０ａ〜１０ｃ）を設けたことを特徴とする。
なお、瞬断保護回路１０（１０ａ〜１０ｃ）は、通信線路３（３ａ〜３ｃ）において瞬断が発生しても、瞬断時間がある一定時間以下であれば、瞬断と判定しない回路である。
【００２９】
前述の実施の形態１による通信制御システムでは、回線（即ち、通信線路）の瞬断時にも経路情報が送信されてこないため、経路が切り替わることがある。
回線（通信線路）の瞬断時に経路を切り替えたくない場合（具体的には各交換機に誤り制御機能がある場合や、誤りを許容するシステムの場合）には、図３に示すように各交換機１（１ａ〜１ｃ）に瞬断保護回路１０（１０ａ〜１０ｃ）を追加することで、瞬断対策が可能となる。
以上により、回線（通信線路）の瞬断を保護しながら、さらに正確な通信経路の認識および情報伝送が可能となる。
【００３０】
実施の形態４．
図４は、本発明の実施の形態４による通信制御システムの構成を示すシステム構成図である。
図において、１０（１０ａ〜１０ｃ）は瞬断保護回路である。
本実施の形態による通信制御システムは、実施の形態２による通信制御システムにおいて、各交換機１（１ａ〜１ｃ）に瞬断保護回路１０（１０ａ〜１０ｃ）を設けたことを特徴とする。
なお、瞬断保護回路１０（１０ａ〜１０ｃ）は、通信線路３（３ａ〜３ｃ）において瞬断が発生しても、瞬断時間がある一定時間以下であれば、瞬断と判定しない回路である。
【００３１】
前述の実施の形態２による通信制御システムでは、回線（通信線路）の瞬断時にもトポロジ情報が送信されてこないため、経路が切り替わることがある。
回線（通信線路）の瞬断時に経路を切り替えたくない場合は、実施の形態３の場合と同様に、図４に示すように各交換機１（１ａ〜１ｃ）に瞬断保護回路１０（１０ａ〜１０ｃ）を各交換機１（１ａ〜１ｃ）に追加することで、瞬断対策が可能となる。
以上により、回線の瞬断を保護しながら、さらに正確な通信経路の認識および情報伝送が可能となる効果がある。
【００３２】
実施の形態５．
図５は、本発明の実施の形態５による通信制御システムの構成を示すシステム構成図である。
図において、１１は通信管理装置である。
本実施の形態による通信制御システムは、実施の形態１による通信制御システムにおいて、さらに通信管理装置１１を設けたことを特徴とする。
先述の実施の形態１による通信制御システムにおいては、各交換機１（１ａ〜１ｃ）が共通の伝送経路の認識を持っているか不明であるが、図５に示すように通信管理装置１１をシステムに追加することで、各交換機が共通の伝送経路の認識を持っているかかどうか、確認することが可能となる。
【００３３】
各交換機１（１ａ〜１ｃ）は経路情報配信回路６（６ａ〜６ｃ）から接続経路情報を配信しているが、その経路情報配信回路６（６ａ〜６ｃ）から配信される接続経路情報を収集し、通信網全体で管理するのが通信管理装置１１である。
通信管理装置１１では、収集した経路接続情報から通信網全体の経路情報を認識する。
また、通信網全体の構成から、最適化された経路情報を計算する。
そして、その認識した経路情報と計算した経路情報とを比較し、誤った認識をしている交換機に対して、正しい情報を通知する。
以上のことにより、各交換機に共通の伝送経路認識を持たせるので、実施の形態１よりもさらに確実な情報伝送が可能となる効果がある。
【００３４】
実施の形態６．
図６は、本発明の実施の形態６による通信制御システムの構成を示すシステム構成図である。
図において、１１は通信管理装置である。
本実施の形態による通信制御システムは、実施の形態２による通信制御システムにおいて、さらに通信管理装置１１を設けたことを特徴とする。
前述の実施の形態２による通信制御システムにおいては、各交換機１（１ａ〜１ｃ）が共通のトポロジ情報や伝送経路の認識を持っているか不明であるが、図６に示すように通信管理装置１１をシステムに追加することで、各交換機が共通の伝送経路の認識を持っているかどうか、確認することが可能となる。
以上のことにより、各交換機に共通のトポロジ情報や伝送経路認識を持たせるので、実施の形態２よりもさらに確実な情報伝送が可能となる。
【００３５】
実施の形態７．
図７は、本発明の実施の形態７による通信制御システムの構成を示すシステム構成図である。
図において、１１は通信管理装置である。
本実施の形態による通信制御システムは、実施の形態３による通信制御システムにおいて、さらに実施の形態５で説明したものと同様の機能を有した通信管理装置１１を設けたことを特徴とする。
前述の実施の形態３においては、各交換機１が共通の伝送経路の認識を持っているか不明であるが、図７に示すように、通信管理装置１１を追加することで、各交換機が共通の伝送経路の認識を持っているかどうか、確認することが可能となる。
以上のことにより、各交換機に共通の伝送経路認識を持たせるので、実施の形態３よりもさらに確実な情報伝送が可能となる効果がある。
【００３６】
実施の形態８．
図８は、本発明の実施の形態８による通信制御システムの構成を示すシステム構成図である。
図において、１１は通信管理装置である。
本実施の形態による通信制御システムは、実施の形態４による通信制御システムにおいて、さらに実施の形態５で説明したものと同様の機能を有した通信管理装置１１を設けたことを特徴とする。
前述の実施の形態４による通信制御システムおいては、各交換機１が共通のトポロジ情報や伝送経路の認識を持っているか不明であるが、図８に示すように、通信管理装置１１を追加することで、各交換機が共通の伝送経路の認識を持っているかどうか、確認すること可能となる。
以上のことにより、各交換機に共通のトポロジ情報や伝送経路認識を持たせるので、実施の形態４よりもさらに確実な情報伝送が可能となる効果がある。
【００３７】
なお、上述した実施の形態１〜８による通信制御システムでは、交換機が３個（１ａ〜１ｃ）である場合の通信制御システムを例に上げて説明しているが、交換機が３個以上の通信制御システムであってもよいことは言うまでもない。
【００３８】
【発明の効果】
この発明による通信制御システムは、伝送したい情報あるいは伝送されてきた情報を所定形式の信号に変換する端末を含み、交換機能を有した複数の交換機と、複数の交換機の各端末間に配設され、情報の伝送を行うための通信線路とで構成された通信制御システムにおいて、複数の交換機のそれぞれは、通信線路を通して他の交換機に経路情報の配信を行う経路情報配信回路と、通信線路を通して他の交換機から配信されてきた経路情報の認識を行う経路情報認識回路を備え、上記複数の交換機間のルーティング経路の設定あるいは経路変更を自動的に行うので、経路情報を誤設定することなく、また、装置故障や通信線路故障の場合にも即座にルーティング経路を変更し、情報伝送を正確に行える。
【００３９】
また、この発明による通信制御システムは、伝送したい情報あるいは伝送されてきた情報を所定形式の信号に変換する端末を含み、交換機能を有した複数の交換機と、複数の交換機の各端末間に配設され、情報の伝送を行うための通信線路とで構成された通信制御システムにおいて、複数の交換機のそれぞれは、通信線路を通して他の交換機にトポロジ情報の配信を行うトポロジ情報配信回路と、通信線路を通して他の交換機から配信されてきたトポロジ情報の認識を行うトポロジ情報認識回路と、トポロジ情報認識回路の認識結果に基づいて経路情報の認識を行う経路情報認識回路を備え、複数の交換機間のルーティング経路の設定あるいは経路変更を自動的に行うので、経路情報を誤設定することなく、また、装置故障や通信線路故障の場合にも、通信網全体を把握して即座にルーティング経路を変更するので、情報伝送をより正確に行える。
【００４０】
また、この発明に係る通信制御システムの上記複数の交換機は、上記通信線路における瞬断時間が所定時間以下であれば、瞬断ではないと判定する瞬断保護回路をさらに備えたので、通信線路の瞬断を保護しながら、より正確なルーティング経路の認識および情報伝送が可能となる。
【００４１】
また、この発明に係る通信制御システムは、上記複数の交換機の各経路情報配信回路から配信される経路情報を収集し、通信網全体で管理する通信管理装置をさらに備えたので、各交換機は共通の伝送経路認識あるいはトポロジ情報を持つことが可能となり、より確実なルーティング経路の認識および情報伝送が可能となる。
【００４２】
また、この発明に係る通信制御システムでは、上記複数の交換機は上記通信線路における瞬断時間が所定時間以下であれば、瞬断ではないと判定する瞬断保護回路を備えると共に、さらに、上記複数の交換機の各経路情報配信回路から配信される経路情報を収集し、通信網全体で管理する通信管理装置を備えたので、
通信線路の瞬断を保護しながら、各交換機は共通の伝送経路認識あるいはトポロジ情報を持つことが可能となり、より確実なルーティング経路の認識および情報伝送が可能となる。
【００４３】
また、この発明に係る通信制御方法は、伝送したい情報あるいは伝送されてきた情報を所定形式の信号に変換する端末を含み、交換機能を有した複数の交換機と、上記複数の交換機の各端末間に配設され、情報の伝送を行うための通信線路とで構成された通信制御システムにおける通信制御方法であって、
上記複数の交換機のそれぞれは、上記通信線路を通して他の交換機に経路情報を配信し、上記通信線路を通して他の交換機から配信されてきた経路情報を認識することにより、上記複数の交換機間のルーティング経路の設定あるいは経路変更を自動的に行うので、経路情報を誤設定することなく、また、装置故障や通信線路故障の場合にも即座にルーティング経路を変更し、情報伝送を正確に行える通信制御方法を提供できる。
【００４４】
また、この発明に係る通信制御方法は、伝送したい情報あるいは伝送されてきた情報を所定形式の信号に変換する端末を含み、交換機能を有した複数の交換機と、上記複数の交換機の各端末間に配設され、情報の伝送を行うための通信線路とで構成された通信制御システムにおける通信制御方法であって、
上記複数の交換機のそれぞれは、上記通信線路を通して他の交換機にトポロジ情報を配信し、上記通信線路を通して他の交換機から配信されてきたトポロジ情報を認識し、上記トポロジ情報の認識結果に基づいて経路情報を認識することにより、上記複数の交換機間のルーティング経路の設定あるいは経路変更を自動的に行うので、経路情報を誤設定することなく、また、装置故障や通信線路故障の場合にも、通信網全体を把握して即座にルーティング経路を変更するので、情報伝送をより正確に行える通信制御方法を提供できる。
【００４５】
また、この発明に係る通信制御方法では、上記複数の交換機は上記通信線路における瞬断時間が所定時間以下であれば、瞬断ではないと判定するので、通信線路の瞬断を保護しながら、より正確なルーティング経路の認識および情報伝送が可能となる通信制御方法を提供できる。
【００４６】
また、この発明に係る通信制御方法は、上記複数の交換機から配信される経路情報を収集し、通信網全体で管理するので、各交換機は共通の伝送経路認識あるいはトポロジ情報を持つことが可能となり、より確実なルーティング経路の認識および情報伝送が可能となる通信制御方法を提供できる。
【００４７】
また、この発明に係る通信制御方法では、上記複数の交換機は上記通信線路における瞬断時間が所定時間以下であれば、瞬断ではないと判定すると共に、さらに、上記複数の交換機から配信される経路情報を収集し、通信網全体で管理するので、通信線路の瞬断を保護しながら、各交換機は共通の伝送経路認識あるいはトポロジ情報を持つことが可能となり、より確実なルーティング経路の認識および情報伝送が可能となる通信制御方法を提供できる。
【図面の簡単な説明】
【図１】本発明の実施の形態１による通信制御システムの構成を示すシステム構成図である。
【図２】本発明の実施の形態２による通信制御システムの構成を示すシステム構成図である。
【図３】本発明の実施の形態３による通信制御システムの構成を示すシステム構成図である。
【図４】本発明の実施の形態４による通信制御システムの構成を示すシステム構成図である。
【図５】本発明の実施の形態５による通信制御システムの構成を示すシステム構成図である。
【図６】本発明の実施の形態６による通信制御システムの構成を示すシステム構成図である。
【図７】本発明の実施の形態７による通信制御システムの構成を示すシステム構成図である。
【図８】本発明の実施の形態８による通信制御システムの構成を示すシステム構成図である。
【図９】従来の通信制御システムの構成を示すシステム構成図である。
【図１０】従来の通信制御システムの他の構成例を示すシステム構成図である。
【符号の説明】
１（１ａ〜１ｃ）　交換機
３（３ａ〜３ｆ）　通信線路
６（６ａ〜６ｃ）　経路情報配信回路
７（７ａ〜７ｃ）　経路情報認識回路
８（８ａ〜８ｃ）　トポロジ情報配信回路
９（９ａ〜９ｃ）　トポロジ情報認識回路
１０（１０ａ〜１０ｃ）　瞬断保護回路
１１　通信管理装置
【図１】
2004064185.tif 000003
【図２】
2004064185.tif 000004
【図３】
2004064185.tif 000005
【図４】
2004064185.tif 000006
【図５】
2004064185.tif 000007
【図６】
2004064185.tif 000008
【図７】
2004064185.tif 000009
【図８】
2004064185.tif 000010
【図９】
2004064185.tif 000011
【図１０】
2004064185.tif 000012